(57)【要約】【課題】患者のベッド近傍で何が（何の種類の機器が）、どこで（プレート子機からか、ハンド子機からかなど）脱落したのかを廊下灯でわかりやすく確認することができるナースコールシステムを提供する。【解決手段】ナースコールシステムにおいて、プレート子機は、少なくともハンド子機、握り子機が接続されるプレート子機接続部を有し、当該ハンド子機は、握り子機を接続するためのハンド子機接続部を有し、プレート子機接続部又はハンド子機接続部から握り子機が脱落したことを検出するとともに、子機ＩＤを不可した脱落検出信号を廊下灯に送信する脱落検出部を備え、当該廊下灯は、脱落検出部が何れで脱落したかを検出した結果を廊下灯の表示部に表示する制御をおこなう廊下灯ＣＰＵを備えたことを特徴とする。【選択図】図１
2018170633.tif 000002
【特許請求の範囲】
【請求項１】
ナースステーションに設置され、患者からの呼出に応答するためのナースコール親機と、患者が看護師を呼ぶためのハンド子機、握り子機と、当該ナースコールが接続されるプレート子機と、プレート子機が接続され、前記ハンド子機、前記握り子機からの呼出があると廊下にて報知するための廊下灯と、各機器を制御するための制御機とから構成されるナースコールシステムであって、
前記プレート子機は、少なくとも前記ハンド子機、前記握り子機が接続されるプレート子機接続部を有し、当該ハンド子機は、前記握り子機を接続するためのハンド子機接続部を有し、
前記プレート子機接続部又は前記ハンド子機接続部から握り子機が脱落したことを検出するとともに、子機ＩＤを不可した脱落検出信号を前記廊下灯に送信する脱落検出部を備え、
当該廊下灯は、前記脱落検出部が何れで脱落したかを検出した結果を前記廊下灯の表示部に表示する制御をおこなう廊下灯ＣＰＵを備えたことを特徴とするナースコールシステム。
【請求項２】
前記廊下灯ＣＰＵは、脱落箇所ごとに視覚的に視認可能な脱落箇所特定画像を有し、前記脱落検出部から前記脱落検出信号を受信すると、当該脱落箇所検出信号に含まれる脱落箇所に応じて前記脱落箇所特定画像から該当する画像を抽出して前記表示部に表示する制御をおこなうことを特徴とする請求項１記載のナースコールシステム。
【請求項３】
前記プレート子機接続部又は前記ハンド子機接続部に接続される各機器の種別を判別する機器種別判別部を有し、
前記廊下灯ＣＰＵは、前記機器種別判別部が判別した機器ごとに視覚的に視認可能な脱落機器特定画像を有し、当該機器種別判別部から機器種別信号を受信すると、当該機器種別信号に含まれる機器種別に応じて前記脱落機器特定画像から該当する画像を抽出して前記表示部に表示する制御をおこなうことを特徴とする請求項１又は２記載のナースコールシステム。
【発明の詳細な説明】
【技術分野】
【０００１】
本発明はナースコールシステムにおいて、プレート子機やハンド子機に接続されるナースコール子機が脱落したことやオプション入力端子に接続される外部機器が脱落したことを廊下灯で視覚的に表示することができるナースコールシステムに関するものである。
【背景技術】
【０００２】
従来のナースコールシステムでは、プレート子機に接続されるナースコール子機が脱落するとナースコール親機や看護師が携行する携帯端末に、患者を特定した脱落情報を警報出力して注意喚起をしていた。これにより、ナースコール子機が脱落してしまった場合であっても、速やかに看護師に通知することができるので、患者のもとへかけつけて対処することが可能となり、患者が看護師を呼び出すことができなくなるような事態を防ぐことができる。
【先行技術文献】
【特許文献】
【０００３】
【特許文献１】特開２０１４−１１０８４９号公報
【発明の概要】
【発明が解決しようとする課題】
【０００４】
しかし、プレート子機やハンド子機には様々な機器が接続されるし、その位置もいくつかあるため、実際に脱落したものが何か、その場所はどこかが現場でわかりにくいことも多々あった。
本発明は、上述の難点を解消するためになされたもので、患者のベッド近傍で何が（何の種類の機器が）、どこで（プレート子機からか、ハンド子機からかなど）脱落したのかを廊下灯でわかりやすく確認することができるナースコールシステムを提供することを目的とする。
【課題を解決するための手段】
【０００５】
本発明は、ナースステーションに設置され、患者からの呼出に応答するためのナースコール親機と、患者が看護師を呼ぶためのハンド子機、握り子機と、当該ナースコールが接続されるプレート子機と、プレート子機が接続され、ハンド子機、握り子機からの呼出があると廊下にて報知するための廊下灯と、各機器を制御するための制御機とから構成されるナースコールシステムであって、プレート子機は、少なくともハンド子機、握り子機が接続されるプレート子機接続部を有し、当該ハンド子機は、握り子機を接続するためのハンド子機接続部を有し、プレート子機接続部又はハンド子機接続部から握り子機が脱落したことを検出するとともに、子機ＩＤを不可した脱落検出信号を廊下灯に送信する脱落検出部を備え、当該廊下灯は、脱落検出部が何れで脱落したかを検出した結果を廊下灯の表示部に表示する制御をおこなう廊下灯ＣＰＵを備えたことを特徴とする。
【０００６】
また、請求項１において、廊下灯ＣＰＵは、脱落箇所ごとに視覚的に視認可能な脱落箇所特定画像を有し、脱落検出部から脱落検出信号を受信すると、当該脱落箇所検出信号に含まれる脱落箇所に応じて脱落箇所特定画像から該当する画像を抽出して表示部に表示する制御をおこなうことを特徴とする。
【０００７】
また、請求項１又は請求項２において、プレート子機接続部又はハンド子機接続部に接続される各機器の種別を判別する機器種別判別部を有し、廊下灯ＣＰＵは、機器種別判別部が判別した機器ごとに視覚的に視認可能な脱落機器特定画像を有し、当該機器種別判別部から機器種別信号を受信すると、当該機器種別信号に含まれる機器種別に応じて脱落機器特定画像から該当する画像を抽出して表示部に表示する制御をおこなうことを特徴とする。
【発明の効果】
【０００８】
本発明のナースコールシステムによれば、プレート子機又はハンド子機に接続される各機器が脱落した場合であっても、誰の、どの機器が、どこで脱落したのかを視覚的に廊下灯で確認することができるので素早い対応をおこなうことを可能とした。
【図面の簡単な説明】
【０００９】
【図１】図１は、本発明のナースコールシステムの構成図である。
【図２】図２は、本発明のナースコールシステムにおけるプレート子機のブロック図である。
【図３】図３は、本発明のナースコールシステムにおける廊下灯のブロック図である。
【図４】図４は、本発明のナースコールシステムにおける廊下灯の表示状態説明図である。
【発明を実施するための形態】
【００１０】
図１は、本発明のナースコールシステムの構成図である。
ナースコールシステムは、ナースステーションに設置され、患者からの呼出に応答するためのナースコール親機１と、患者名が表記され、患者からの呼出を報知するための廊下灯２と、患者が看護師を呼ぶためのハンド子機３１、握り子機３２であるナースコール子機３と、当該ナースコールが接続されるプレート子機４と、各機器を制御するための制御機５と、看護師が携行するスマートホン等の携帯端末８と通信するための交換機６及び基地局７と、患者情報を管理する管理パソコン９、各機器を接続するためのＨＵＢ１０とから構成されている。
なお、ハンド子機３１は、握り子機３２や、その他の機器を接続するためのハンド子機接続部３１１を有しており、当該ハンド子機接続部３１１は後述するプレート子機接続部４１やオプション接続部４２の受け口と同一形状で構成されており、種々の機器を接続可能としている。
ここでハンド子機３１とは、呼出機能のほか、図示しないマイク、スピーカを備え、これを使って看護師と通話することができる機器であり、握り子機３２は、呼出機能のみを有しており、看護師と通話する場合はプレート子機４を用いて通話することになる。
【００１１】
図２は、プレート子機４のブロック図である。
握りボタン３１ハンド子機３２等のナースコール子機３を接続するためのプレート子機接続部４１と、マットセンサや、大型呼出ボタン等の外部機器１１を接続するためのオプション接続部４２と、緊急呼出時等に呼出状態を復旧するための復旧ボタン４３と、各機器と通信をおこなうための通信ＩＦ４４と、各部を制御するためのプレート子機ＣＰＵ４５とを備えている。また、プレート子機ＣＰＵ４５は、ナースコール子機３や外部機器１１の種別を判別する機器判別部４５１を有している。
図３は廊下灯のブロック図である。
廊下灯２は、患者情報や脱落情報を表示するための表示部２１、患者情報を記憶する患者情報記憶部２１、脱落したときに視覚的に通知するための画像記憶部２３、プレート子機や制御機と接続するための廊下灯ＩＦ２４、各部を制御する廊下灯ＣＰＵ２５から構成されている。
【００１２】
このように構成されたナースコールシステムについて、以下、動作を説明する。
なお、接続形態については本発明を明確にするため、次のような接続とするが、これに限らない。即ち、プレート子機４のプレート子機接続部４１にはハンド子機３１が、また、オプション接続部４２にはマットセンサ１１がそれぞれ接続され、更に、ハンド子機３１のハンド子機接続部３１１には握り子機３２が接続されている。
このように接続されたナースコールシステムにおいて、まず、患者が看護師を呼び出す従来の動作について簡単に説明する。
患者は看護師を呼び出すためにナースコール子機３のハンド子機３１又は握り子機３２のどちらかを操作すると、呼出信号がプレート子機４、廊下灯２を介して制御機５に送信される。このとき廊下灯２では、呼出報知のために画面に患者情報が表示されるとともに、廊下灯２の図示しないＬＥＤが点滅して呼出がある旨が表示される。
【００１３】
制御機５は、ナースコール親機１及び交換機６、基地局７を介して担当看護師が携行している携帯端末８を呼び出す制御をおこなう。ナースコール親機１、携帯端末８の呼出報知画面には患者情報が表示され、どちらかで応答する。
これにより、看護師は、患者のもとにかけつけて処置をするなどをおこなうことができるし、各表示部の患者情報を確認することにより、適切な処置をおこなうことができる。
【００１４】
次に、ハンド子機３１がプレート子機４から脱落した場合について説明する。
ハンド子機３１がプレート子機４のプレート子機接続部４１から脱落すると、それをプレート子機ＣＰＵ４５が検出するとともに、機器判別部４５１がどの機器が脱落したのかも同時に判別する。プレート子機４の機器判別部４５１は、接続したときに機器ごとにことなる抵抗値をあらかじめ記憶していることで、何の機器が接続されているのかを判別することができる構成となっている。
【００１５】
プレート子機ＣＰＵ４５は、子機ＩＤとともに脱落した位置（プレート子機接続部４１）、機種（ハンド子機３１）が脱落したことを通知するための脱落通知信号を廊下灯２に送信する。
【００１６】
廊下灯２では廊下灯ＩＦ２４を介して廊下灯ＣＰＵ２５で当該脱落通知信号を受信して表示部２１に画像記憶部２３に記憶された視覚的に確認可能な画像を読み出して表示する。ここで、場所情報としては患者情報表示領域の色を変更するなどで、どのベッドでだつらくしたかをわかるようにする（（図４（ａ）参照）。そのとき患者情報も表示するかは任意に設定可能とする。
【００１７】
同様に、ハンド子機３１のハンド子機接続部３１１から握り子機３２が脱落すると、ハンド子機３１が接続されたプレート子機接続部４１を介してプレート子機ＣＰＵ４５がこれを検出する。ここでは、ハンド子機３１に接続された握り子機３２が脱落したことを検出することとなり、前述同様にプレート子機ＣＰＵ４５は、子機ＩＤとともに脱落した位置（ハンド子機接続部３１１）、機種（握り子機３２）が脱落したことを通知するための脱落通知信号を廊下灯２に送信する。その後の動作は同様であるため省略する（図４（ｂ）参照）。
【００１８】
この動作はオプション接続部４２から外部機器１１が脱落した場合であっても同様の動作をおこなうことができる。
看護師は、脱落したことが廊下灯２を介して制御機５に送信され、ナースコール親機１又は交換機６、基地局７を介して看護師が携行する携帯端末８に通知され、これを確認した看護師が、廊下灯２に到着したとき、視覚的に表示された画像を見て、どこで、どの機器が脱落したのかを確認することができる。
【００１９】
なお、看護師はプレート子機４の復旧ボタン４３を操作することにより、復旧させることができ、この操作により廊下灯２の表示部２１の表示状態も待ち受け画面に復旧する。
【符号の説明】
【００２０】
１                    ナースコール親機
２                    廊下灯
３                    ナースコール子機
４                    プレート子機
４１                  ナースコール子機接続部
４２                  オプション接続部
４３                  復旧ボタン（４３１  脱落・断線警報対象設定部）
４５                  プレート子機ＣＰＵ
４５１                           機器判別部
４５２                           脱落・断線警報対象判別部
【図１】
2018170633.tif 000003
【図２】
2018170633.tif 000004
【図３】
2018170633.tif 000005
【図４】
2018170633.tif 000006